(57)【要約】      （修正有）【課題】着用者の脚部の動きによって後身頃部の裾部分にズレが生じ難く、ヒップの左右の丸みがきれい現れる衣類を提供する。【解決手段】衣類１は、前身頃部と、後身頃部３と、着用者の股下に配置され、前身頃部と後身頃部３とを連結する股下部４とを有する。衣類１は、着用者のヒップの割れ目に沿う衣類中央線Ｍに沿って後身頃部３の肌側面に縫着されており、衣類中央線Ｍを挟んだ両側に皺状のギャザー部５１０を形成するためのギャザー用伸縮テープ５１と、股下部４の後端部に形成されており、三角形状に突出する突出片４０とを有している。衣類１は、衣類中央線Ｍ上に突出片４０の先端部が配置された状態で、三角形の二つの斜辺４０１に相当する突出片４０の外縁に沿って後身頃部３と股下部４とが縫製により接ぎ合わされている。【選択図】図３
0003189672.tif 000002
【実用新案登録請求の範囲】
【請求項１】
前身頃部と、後身頃部と、着用者の股下に配置され、上記前身頃部と上記後身頃部とを連結する股下部とを有する衣類であって、
上記着用者のヒップの割れ目に沿う衣類中央線に沿って上記後身頃部の肌側面に縫着されており、上記衣類中央線を挟んだ両側に皺状のギャザー部を形成するためのギャザー用伸縮テープと、
上記股下部の後端部に形成されており、三角形状に突出する突出片とを有しており、
上記衣類中央線上に上記突出片の先端部が配置された状態で、上記三角形の二つの斜辺に相当する上記突出片の外縁に沿って上記後身頃部と上記股下部とが縫製により接ぎ合わされていることを特徴とする衣類。
【請求項２】
上記後身頃部および上記股下部の肌側面における上記突出片の外縁に沿って配置された突出片用伸縮テープを有しており、
該突出片用伸縮テープを含んだ状態で上記後身頃部と上記股下部とが縫製により接ぎ合わされていることを特徴とする請求項１に記載の衣類。
【請求項３】
上記ギャザー用伸縮テープの下端部と上記突出片の先端部とが接していることを特徴とする請求項１または２に記載の衣類。
【請求項４】
上記縫製は、千鳥縫い、または、オーバーロックであることを特徴とする請求項１〜３のいずれか１項に記載の衣類。
【請求項５】
上記突出片用伸縮テープは、上記ギャザー用伸縮テープと一体化されている第１テープ部と、上記ギャザー用伸縮テープと一体化されていない第２テープ部とを有していることを特徴とする請求項２〜４のいずれか１項に記載の衣類。
【請求項６】
衣類中央線に沿って上記股下部の肌側面に縫着されている股下部用伸縮テープをさらに有していることを特徴とする請求項１〜５のいずれか１項に記載の衣類。
【請求項７】
上記突出片における先端部の開き角は、７０°〜１６５°の範囲内にあることを特徴とする請求項１〜６のいずれか１項に記載の衣類。
【請求項８】
ショーツとして構成されていることを特徴とする請求項１〜７のいずれか１項に記載の衣類。
【請求項９】
上記ショーツは、サニタリー用ショーツ、または、失禁用ショーツであることを特徴とする請求項８に記載の衣類。
【考案の詳細な説明】
【技術分野】
【０００１】
本考案は、衣類に関し、さらに詳しくは、着用者の股下に配置される股下部を有する衣類に関する。
【背景技術】
【０００２】
従来、前身頃部と、後身頃部と、前身頃部と後身頃部とを連結する股下部とを有するショーツ等の衣類が知られている。この種の衣類では、股下部の後端部における外縁がゆるやかな円弧状に形成され、この円弧状の外縁に沿って後身頃部と股下部とが縫製により接ぎ合わされているのが一般的である（例えば、特許文献１参照）。
【先行技術文献】
【特許文献】
【０００３】
【特許文献１】実用新案登録第３１６４９４４号公報
【考案の概要】
【考案が解決しようとする課題】
【０００４】
しかしながら、従来技術は、以下の点で問題がある。すなわち、従来の股下部を有する衣類は、股下部の後端部における外縁がゆるやかな円弧状に形成されているので、最初からヒップの形に沿わない余分な部分が多い。そのため、上記衣類は、着用者に着用された状態で股下部の後端部周辺にだぶつきが生じやすく、ヒップにフィットし難い。その結果、上記衣類は、着用者の脚部の動きによって後身頃部の裾部分にズレが生じやすいという問題がある。
【０００５】
また、上記衣類は、ヒップへのフィット性が低く、後身頃部の裾部分にズレが生じやすいので、後身頃部の裾部分がヒップに食い込みやすい。それ故、上記衣類は、着用者に着用された場合に、ヒップの左右の丸みがきれいに現れないという問題がある。
【０００６】
本考案は、上記背景に鑑みてなされたものであり、従来に比べ、着用者の脚部の動きによって後身頃部の裾部分にズレが生じ難く、ヒップの左右の丸みがきれい現れる衣類を提供しようとするものである。
【課題を解決するための手段】
【０００７】
本考案の一態様は、前身頃部と、後身頃部と、着用者の股下に配置され、上記前身頃部と上記後身頃部とを連結する股下部とを有する衣類であって、
上記着用者のヒップの割れ目に沿う衣類中央線に沿って上記後身頃部の肌側面に縫着されており、上記衣類中央線を挟んだ両側に皺状のギャザー部を形成するためのギャザー用伸縮テープと、
上記股下部の後端部に形成されており、三角形状に突出する突出片とを有しており、
上記衣類中央線上に上記突出片の先端部が配置された状態で、上記三角形の二つの斜辺に相当する上記突出片の外縁に沿って上記後身頃部と上記股下部とが縫製により接ぎ合わされていることを特徴とする衣類にある。
【考案の効果】
【０００８】
上記衣類は、股下部の後端部に三角形状に突出する突出片を有しているので、突出片によって股下部の後端部の外縁が三角形の二つの斜辺を含む形状に形成される。そして、上記衣類は、三角形の二つの斜辺に相当する突出片の外縁に沿って後身頃部と股下部とが縫製により接ぎ合わされている。そのため、上記衣類は、股下部の後端部の外縁が円弧状に形成されている場合に比べ、股下部の後端部周辺に最初からヒップの形に沿わない余分な部分が少ない。
【０００９】
また、上記衣類は、三角形状に突出する突出片の先端部が衣類中央線上に配置された状態で、後身頃部と股下部とが縫製により接ぎ合わされている。さらに、上記衣類は、後身頃部の肌側面における衣類中央線に沿ってギャザー用伸縮テープが縫着されている。そのため、ギャザー用伸縮テープの縮み力により、突出片の先端部がウエスト側に引っ張られ、その結果、股下部の後端部がウエスト側に持ち上げられる。
【００１０】
それ故、上記衣類は、着用者に着用された状態で股下部の後端部周辺にだぶつきがなくなるとともに、ヒップにフィットする。したがって、上記衣類は、従来に比べ、着用者の脚部の動きによって後身頃部の裾部分にズレが生じ難い。また、上記衣類は、ヒップに対するフィット性が高く、後身頃部の裾部分にズレが生じ難いので、後身頃部の裾部分がヒップに食い込み難い。したがって、上記衣類は、従来に比べ、着用者に着用された場合に、ヒップの左右の丸みがきれいに現れる。
【００１１】
よって、本考案によれば、従来に比べ、着用者の脚部の動きによって後身頃部の裾部分にズレが生じ難く、ヒップの左右の丸みがきれい現れる衣類を提供することができる。
【図面の簡単な説明】
【００１２】
【図１】実施例１の衣類の正面図である。
【図２】実施例１の衣類の背面図である。
【図３】図２の背面図における肌側を示した図である。
【図４】実施例１の衣類を適用した生理用ショーツのサンプル１の背面写真である。
【図５】模擬ボディに着用させた生理用ショーツのサンプル１を股下部側から見た写真である。
【図６】従来の生理用ショーツのサンプル２の背面写真である。
【図７】模擬ボディに着用させた生理用ショーツのサンプル２を股下部側から見た写真である。
【図８】実施例２の衣類の正面図である。
【図９】実施例２の衣類の背面図である。
【図１０】図９の背面図における肌側を示した図である。
【考案を実施するための形態】
【００１３】
上記衣類において、三角形状に突出する突出片の外縁には、三角形の二つの斜辺に相当する二つの直線部分が含まれている。三角形状としては、具体的には、二等辺三角形状等を例示することができる。突出片の先端部は、必ずしも尖っている必要はなく、製造性等の観点から、丸みを帯びていてもよい。
【００１４】
上記衣類は、後身頃部および股下部の肌側面における突出片の外縁に沿って配置された突出片用伸縮テープを有しており、突出片用伸縮テープを含んだ状態で後身頃部と股下部とが縫製により接ぎ合わされている構成とすることができる。
【００１５】
この場合には、突出片の外縁に沿って縫着された突出片用伸縮テープの縮み力によっても、突出片の外縁がウエスト側に引っ張られる。そのため、上記衣類は、ヒップに対するフィット性が向上し、着用者の脚部の動きによって後身頃部の裾部分に一層ズレが生じ難くなる。また、これによりヒップの左右の丸みがよりきれいに現れやすくなる。
【００１６】
上記衣類は、ギャザー用伸縮テープの下端部と突出片の先端部とが接している構成とすることができる。
【００１７】
この場合には、ギャザー用伸縮テープによって突出片の先端部が直接ウエスト側に引っ張られる。そのため、この場合は、上記作用効果を確実なものとすることができる。
【００１８】
上記衣類において、股下部の後端部と後身頃部との縫製は、種々の縫製方法を採用することができる。上記縫製方法としては、千鳥縫い、オーバーロック、平三本針、平二本針などを例示することができる。
【００１９】
上記衣類において、上記縫製は、千鳥縫い、または、オーバーロックであることが好ましい。
【００２０】
千鳥縫いは、縫製糸による縫い目がジグザグ形状となるので、縫製部位に適度なストレッチ性を付与することができる。そのため、この場合には、股下部の後端部がヒップになじみやすくなり、ヒップに対するフィット性の向上に有利である。また、上記突出片用伸縮テープを千鳥縫いによって縫着した場合には、縫製に用いた縫製糸が突出片用伸縮テープの伸縮に対して追従しやすい利点がある。また、上記衣類は、上記突出片用伸縮テープを用いることなく、後身頃部と股下部とが縫製により接ぎ合わされている構成とすることも可能である。この場合には、縫製効率の向上、確実な縫着などの観点から、上記縫製は、オーバーロックを好適に用いることができる。
【００２１】
上記衣類において、突出片用伸縮テープは、ギャザー用伸縮テープと一体化されている第１テープ部と、ギャザー用伸縮テープと一体化されていない第２テープ部とを有している構成とすることができる。
【００２２】
この場合は、ギャザー用伸縮テープとともに突出片用伸縮テープの第１テープ部を一度で縫着することができる。そのため、この場合は、衣類の生産性が向上する。なお、第１テープ部は、後身頃部の肌側から見て、三角形の二つの斜辺に相当する突出片の外縁のうち、右脚側の直線状の外縁、左脚側の直線状の外縁のいずれを覆うように配置されていてもよい。
【００２３】
上記衣類は、衣類中央線に沿って股下部の肌側面に縫着されている股下部用伸縮テープをさらに有している構成とすることができる。
【００２４】
この場合には、股下部用伸縮テープによる伸縮力により、股下部の中央部が着用者の股下に押し付けられるため、股下部の密着性が向上する。そのため、この場合には、生理用ショーツ、失禁用ショーツなど、着用者の股下から排出される経血や尿などの漏れを防ぐために密着性が要求される用途へ適用しやすい衣類が得られる。
【００２５】
上記衣類において、突出片における先端部の開き角は７０°〜１６５°の範囲内にあることが好ましい。
【００２６】
この場合は、上記作用効果を確実なものとしやすくなる。また、股下部を有する種々の形状の衣類に対する適用性が高まる。なお、突出片における先端部の開き角は、三角形の二つの斜辺に相当する二つの直線部分のなす角をいう。
【００２７】
上記突出片における先端部の開き角は、股下部の幅の確保、外観向上、縫製効率の向上などの観点から、好ましくは、８０°以上、より好ましくは、９０°以上、さらに好ましくは、１００°以上とすることができる。また、上記突出片における先端部の開き角は、先端部をウエスト側への持ち上げやすい、股下部の後端部におけるダブつき抑制、フィット性の向上などの観点から、好ましくは、１５０°以下、より好ましくは、１４０°以下、さらに好ましくは、１３０°以下とすることができる。
【００２８】
上記衣類は、股下部を有する衣類であれば、いずれのものにも適用することができる。上記衣類としては、具体的には、例えば、ショーツ、ガードル、パンツ、ボディスーツ、レオタードなどを例示することができる。上記ショーツとしては、より具体的には、サニタリー用ショーツ（生理用ショーツ）、失禁用ショーツなどが挙げられる。なお、上記衣類の着用者は、女性であっても男性であってもよい。
【００２９】
とりわけ、上記衣類は、股下部に機能性を有するサニタリー用ショーツ、失禁用ショーツであるとよい。この場合には、より高い効果を発揮することができる。
【００３０】
具体的には、上記衣類がサニタリー用ショーツとして用いられる場合、上記衣類はヒップへのフィット性が高いので、股下部の肌側に配置される生理用ナプキン等の体液吸収体が固定されやすくなる。その結果、体液吸収体から生理時の経血等が漏れ難くなる。また、上記衣類が尿失禁用ショーツとして用いられる場合、上記衣類はヒップへのフィット性が高いので、失禁時の尿が漏れ難くなる。
【００３１】
なお、上述した各構成は、上述した各作用効果等を得るなどのために必要に応じて任意に組み合わせることができる。
【実施例】
【００３２】
以下、実施例の衣類について、図面を用いて説明する。なお、同一部材については同一の符号を用いて説明する。
【００３３】
（実施例１）
実施例１の衣類について、図１〜図７を用いて説明する。図１〜図３に示すように、本例の衣類１は、前身頃部２と、後身頃部３と、着用者の股下に配置され、前身頃部２と後身頃部３とを連結する股下部４とを有している。
【００３４】
本例の衣類１は、サニタリー用ショーツである。衣類１は、具体的には、着用者の右脚が挿入される右脚開口部１１と、着用者の左脚が挿入される左脚開口部１２とを有している。右脚開口部１１は、前身頃部２の右脚裾部２１と、後身頃部３の右脚裾部３１と、股下部４の右脚側縁部４１と、後述の脇接ぎ部（不図示）の裾部とで囲まれることによって形成されている。左脚開口部１２は、前身頃部２の左脚裾部２２と、後身頃部３の左脚裾部３２と、股下部４の左脚側縁部４２と、後述の脇接ぎ部（不図示）の裾部とで囲まれることによって形成されている。なお、本例では、図１に示されるように、股下部４の前端部と前身頃部２とが縫製により接ぎ合わされている例を示している。股下部４は、他にも、前身頃部２と一体化されていてもよい。また、本例では、前身頃部２と後身頃部３とは、右脚側および左脚側ともに脇接ぎ部（不図示）を介して接ぎ合わされている例を示している。なお、前身頃部２と後身頃部３とは、脇接ぎ部を用いることなく一体的に形成されていてもよい。
【００３５】
衣類１は、着用者のヒップの割れ目に沿う衣類中央線Ｍに沿って、後身頃部３の肌側面にギャザー用伸縮テープ５１が縫着されている。ギャザー用伸縮テープ５１は、後身頃部３における衣類中央線Ｍを挟んだ両側に皺状のギャザー部５１０を形成するためのものである。ギャザー用伸縮テープ５１は、具体的には、平ゴムテープである。
【００３６】
衣類１は、股下部４の後端部に三角形状に突出する突出片４０を有している。突出片４０は、具体的には、突出片４０の外縁に含まれる三角形の二つの斜辺４０１が同等の長さである二等辺三角形状に形成されている。なお、突出片４０における先端部の開き角θ（二つの斜辺４０１のなす角）は、具体的には、約１１０°に設定されている。
【００３７】
衣類１は、衣類中央線Ｍ上に突出片４０の先端部が配置された状態で、三角形の二つの斜辺４０１に相当する突出片４０の外縁に沿って後身頃部３と股下部４とが縫製により接ぎ合わされている。
【００３８】
本例では、さらに、後身頃部３および股下部４の肌側面における突出片４０の外縁に沿って突出片用伸縮テープ５２が配置されている。突出片用伸縮テープ５２は、具体的には、平ゴムテープである。突出片用伸縮テープ５２は、ギャザー用伸縮テープ５１と一体化されている第１テープ部５２１と、ギャザー用伸縮テープ５１と一体化されておらず、独立した第２テープ部５２２とから構成されている。そして、本例では、突出片用伸縮テープ５２を含んだ状態で後身頃部３と股下部４とが縫製により接ぎ合わされている。また、ギャザー用伸縮テープ５１の下端部は、突出片４０の先端部に接している。なお、本例における縫製は、３点千鳥縫いミシンを用いて行われており、ギャザー用伸縮テープ５１と連続する第１テープ部５２１は、右脚側方向に配置されている。
【００３９】
本例では、前身頃部２の右脚裾部２１の肌側面、後身頃部３の右脚裾部３１の肌側面、および、股下部４の右脚側縁部４１の肌側面に、右脚裾部用伸縮テープ５３が縫着されている。同様に、前身頃部２の左脚裾部２２の肌側面、後身頃部３の左脚裾部３２の肌側面、および、股下部４の左脚側縁部４２の肌側面に、左脚裾部用伸縮テープ５４が縫着されている。右脚裾部用伸縮テープ５３、左脚裾部用伸縮テープ５４は、具体的には、ともに平ゴムテープである。そして、突出片用伸縮テープ５２の両端部は、それぞれ右脚裾部用伸縮テープ５３および左脚裾部用伸縮テープ５４に接するように配置されている。
【００４０】
次に、本例の衣類の作用効果について説明する。
【００４１】
衣類１は、股下部４の後端部に三角形状に突出する突出片４０を有しているので、突出片４０によって股下部４の後端部の外縁が三角形の二つの斜辺を含む形状に形成される。そして、衣類１は、三角形の二つの斜辺４０１に相当する突出片４０の外縁に沿って後身頃部３と股下部４とが縫製により接ぎ合わされている。そのため、衣類１は、股下部４の後端部の外縁が円弧状に形成されている場合に比べ、股下部４の後端部周辺に最初からヒップの形に沿わない余分な部分が少ない。
【００４２】
また、衣類１は、三角形状に突出する突出片４０の先端部が衣類中央線Ｍ上に配置された状態で、後身頃部３と股下部４とが縫製により接ぎ合わされている。さらに、衣類１は、後身頃部３の肌側面における衣類中央線Ｍに沿ってギャザー用伸縮テープ５１が縫着されている。そのため、ギャザー用伸縮テープ５１の縮み力により、突出片４０の先端部がウエスト側に引っ張られ、その結果、股下部４の後端部がウエスト側に持ち上げられる。
【００４３】
それ故、衣類１は、着用者に着用された状態で股下部４の後端部周辺にだぶつきがなくなるとともに、ヒップにフィットする。したがって、衣類１は、従来に比べ、着用者の脚部の動きによって後身頃部３の裾部分にズレが生じ難い。本例では、さらに、右脚裾部用伸縮テープ５３および左脚裾部用伸縮テープ５４が縫着されているので、着用者の脚部の動きによって後身頃部３の裾部分により一層ズレが生じ難い。
【００４４】
また、衣類１は、ヒップに対するフィット性が高く、後身頃部３の裾部分にズレが生じ難いので、後身頃部３の裾部分がヒップに食い込み難い。したがって、衣類１は、従来に比べ、着用者に着用された場合に、ヒップの左右の丸みがきれいに現れる。
【００４５】
図４、図５に、実施例１の衣類を適用した生理用ショーツのサンプル１を示す。また、比較例として、図６、図７に、従来の生理用ショーツのサンプル２を示す。図７に示されるように、従来の生理用ショーツは、股下部の後端部における外縁がゆるやかな円弧状に形成されているので、最初からヒップの形に沿わない皺や浮き等の余分な部分が多い。そのため、従来の生理用ショーツは、模擬ボディに着用させた状態で股下部の後端部周辺にだぶつきが生じやすく、ヒップにフィットし難いことがわかる。また、従来の生理用ショーツは、模擬ボディに着用させた状態で、ヒップの左右の丸みがきれいに現れていないこともわかる。
【００４６】
これに対し、図５に示されるように、本例の生理用ショーツは、模擬ボディに着用させた状態で股下部の後端部周辺にだぶつきがなく、ヒップにフィットしていることが確認された。また、本例の生理用ショーツは、模擬ボディに着用させた状態で、ヒップの左右の丸みがきれいに現れていることが確認された。
【００４７】
（実施例２）
実施例２の衣類について、図８〜図１０を用いて説明する。図８〜図１０に示されるように、本例の衣類１は、股下部４の後端部と後身頃部３との縫製が平三本針ミシンを用いて行われている点で実施例１と相違している。また、本例の衣類１は、衣類中央線Ｍに沿って股下部４の肌側面に、股下部用伸縮テープ５５がさらに縫着されている点で実施例１と相違している。その他の構成は、実施例１と同様である。
【００４８】
本例の衣類１は、股下部用伸縮テープ５５による伸縮力により、股下部４の中央部が着用者の股下に押し付けられるため、股下部４の密着性が向上する。そのため、本例の衣類１は、着用者の股下から排出される経血の漏れを防ぎやすい利点がある。その他の作用効果は、実施例１と同様である。
【００４９】
以上、本考案の実施例について詳細に説明したが、本考案は上記実施例に限定されるものではなく、本考案の趣旨を損なわない範囲内で種々の変更が可能である。
【００５０】
例えば、上記実施例１および実施例２では、突出片用伸縮テープを用いた例を示した。他にも、実施例１および実施例２において、突出片用伸縮テープを用いることなく、後身頃部と股下部とがオーバーロック等による縫製によって接ぎ合わされている構成とすることも可能である。
【符号の説明】
【００５１】
１  衣類
２  前身頃部
３  後身頃部
４  股下部
４０  突出片
４０１  斜辺
５１  ギャザー用伸縮テープ
５１０  ギャザー部
Ｍ  衣類中央線
【図１】
0003189672.tif 000003
【図２】
0003189672.tif 000004
【図３】
0003189672.tif 000005
【図８】
0003189672.tif 000006
【図９】
0003189672.tif 000007
【図１０】
0003189672.tif 000008
【図４】
0003189672.tif 000009
【図５】
0003189672.tif 000010
【図６】
0003189672.tif 000011
【図７】
0003189672.tif 000012